(57)【要約】  一定の液量を吸引し供給するための電子ピペット計量装置は、ステムアセンブリ（３）が下部に取り付けられるハンドル（１）と、ハンドル（１）の長手方向軸に対し回転でき及び/又はハンドル（１）の長手方向軸に上向き且つ平行に移動できるようにハンドル（１）に接続される制御パネル（２）を具備する。
2008512224.tif 000002
【特許請求の範囲】
【請求項１】
ハンドル（１）であって、ステムアセンブリ（３）がその下部に取り付けられるハンドルと、
制御パネル（２）、
を具備し、
前記制御パネルは、前記制御パネルが前記ハンドルの長手方向軸に対し回転できるように、前記ハンドルと接続されることを特徴とする、一定の液量を吸引し供給するための電子ピペット計量装置。
【請求項２】
ハンドル（１）であって、ステムアセンブリ（３）がその下部に取り付けられるハンドルと、
制御パネル（２）、
を具備し、
前記制御パネルは、前記ハンドルの長手方向軸に平行に前記ハンドルから突出できることを特徴とする、一定の液量を吸引し供給するための電子ピペット計量装置。
【請求項３】
エゼクタ（１０）のボタン（９）とホールド（８）は、前記ハンドル（１）と接続されることを特徴とする、請求項１−２のいずれか一項に記載の一定の液量を吸引し供給するための電子ピペット計量装置。
【請求項４】
前記ハンドル（１）の長手方向軸の周囲を前記制御パネル（２）と共に回転するピペット計量用ボタン（４）は、前記制御パネル（２）と接続されることを特徴とする、請求項１−２のいずれか一項に記載の一定の液量を吸引し供給するための電子ピペット計量装置。
【請求項５】
エゼクタ（１０）のボタン（９）は、前記ハンドル（１）と接続されることを特徴とする、請求項１−２のいずれか一項に記載の一定の液量を吸引し供給するための電子ピペット計量装置。
【請求項６】
前記ハンドル（１）の長手方向軸の周囲を前記制御パネル（２）と共に回転する、ホールド（８）とピペット計量用ボタン（４）は、前記制御パネル（２）と接続されることを特徴とする、請求項１−２のいずれか一項に記載の一定の液量を吸引し供給するための電子ピペット計量装置。
【請求項７】
前記ピペット計量装置は、前記ハンドル（１）に対する前記制御パネル（２）の円周方向位置の安定な設定のための構造を具備することを特徴とする、請求項１に記載の一定の液量を吸引し供給するための電子ピペット計量装置。
【請求項８】
前記ピペット計量装置は、前記ハンドル（１）に対する前記制御パネル（２）の長手方向位置の安定な設定のための構造を具備することを特徴とする、請求項２に記載の一定の液量を吸引し供給するための電子ピペット計量装置。
【発明の詳細な説明】
【技術分野】
【０００１】
本発明は、一定の液量を吸引し供給するための電子ピペット計量装置に関する。
【背景技術】
【０００２】
米国特許第4,054,062号明細書から周知の、一定の液量を吸引し供給するために設計されたピペット計量装置は、円筒状に成形され且つハンドル用に直立している上部と、前記ハンドルに取り付けられる下部円筒型部分を具備する。下部の自由端は、使い捨てできるピペットの先端の内部に係合するために円錐状に成形される。さらに、ハンドルは、オペレータの指用の突出するホールドを保持し、また上部自由端には、ピペット計量用ボタンと、前記装置の下部を囲んでいる、使い捨てできる先端のシリンダに取り付けられるエゼクタ用ボタンがある。
【０００３】
同様に、米国特許第4,905,526号明細書から周知の、携帯型電子プログラム可能な自動ピペットは、手持ち式のハウジングに収納されモジュール式駆動モータを備える駆動装置の線形モジュールと、オペレータにより予め設定される及び/又は解除されるどちらかの指示に選択的に応じて給電とモータ操作の制御のために駆動モジュールハウジングに収納される制御回路と、モータに取り付けられ、モータ駆動に応じて正確な長手方向増分を移動に提供するシャフトと、制御回路に接続され駆動モジュールのハウジングに配置され、オペレータにより使用されて制御系にコマンドを入力するためのキーボードと、制御回路に接続されキーボード付近の駆動モジュールのハウジングに取り付けられ、操作モードと、オペレータにより予め設定されあるいは入力されたピペット用コマンドの選択的表示のためのディスプレイを具備する。
【０００４】
さらに、ピペットは、シリンダを収納しシャフトに沿って駆動モジュールに取り付けられた試料採取アセンブリと、シリンダ内部の注入ピストンと、試料採取アセンブリが駆動モジュールに設置されるとき、シャフトの直線的移動をピストンに伝達する装置と、一方の側はピストンに取り付けられ、もう一方の側は採取された液体を吸引するために先端に取り付けられた孔を備える、シリンダ中の試料採取チャンバを有する。
【０００５】
さらに、調整可能なエゼクタを備えるピペット計量装置は、米国特許第6,779,412号明細書から周知である。このピペット計量装置は、本体、本体に対し長手方向に移動できて、本体端部に固定された使い捨てできる先端を取り出すアーム、及びアーム移動を制御するためのエゼクタ用ボタンを具備する。前記ピペット計量装置において、エゼクタ用ボタンは、該面内の位置の連続領域のいずれかの位置を占有できることにより、また前記いずれかの位置でアームの移動を制御できるようにすることにより、長手方向に垂直な面内で本体に対し移動できる。さらに、エゼクタ用ボタンは、長手方向に垂直な軸の周囲を本体に対し回転できる。
【０００６】
中央ハンドル部分を備える本体と、ステムアセンブリを備える下部と、上部の制御パネルを具備する、米国、Thermo Electron 社のFinnpipett Novusも周知である。ハンドルの中央部分に、ピペットは、オペレータの指用の突出し且つ調整可能なホールドを有し；ホールドは本体に対し移動できて、本体の軸に垂直な面内の様々な位置を選択している。
【０００７】
周知の解決方法には、前記装置を操作中、ピペット計量装置の要素をオペレータの手のひらの大きさに且つオペレータの嗜好に、設定し制御することの調整に伴う問題がある。
【発明の開示】
【０００８】
この発明の一つの目的は、この装置の堅固な保持とユーザによるその適正な操作を同時に推し進める構造を備える、一定の液量を吸引し採取するための電子ピペット計量装置を提供することである。
【０００９】
本発明の次の目的は、ハンドルに関して制御パネルの二自由度の移動度を、またユーザにピペット計量装置構成部品のユーザにとって最も快適な配置を提供し、且つ前記装置の適正な操作を可能にするような、ピペット計量用、プログラミング用、及びエゼクタ用ボタン、並びに可動式制御パネル上のデータ表示位置の相互配置とハンドルなどを確保する構造を具備するピペット計量装置を提供することである。      
【００１０】
本発明の次の目的は、前記装置の操作の際にハンドルに関する制御パネルの前もって決定され且つ都合のよい位置の安定な設定を確保する構造を具備する、ピペット計量装置を提供することである。
【００１１】
前記発明で出願された解決方法の要点は、ピストンアセンブリがその下部に取り付けられるハンドルと、制御パネルであって、ハンドルの長手方向軸に対し回転でき及び/又はハンドルの長手方向軸に平行にハンドルから突出するようにハンドルに接続される制御パネルとを具備する電子ピペット計量装置の出願である。
【００１２】
本発明に従う前記装置は、エゼクタ用ボタンと、ハンドルさらには、ピペット計量用ボタンが接続されハンドルの長手方向軸の周囲をハンドルと共に回転する制御パネルを備えるホルダとの有利な接続、あるいはハンドルさらには、ホルダとピペット計量用ボタンが接続され、ハンドルの長手方向軸の周囲をハンドルと共に回転する制御パネルとに接続されるエゼクタ用ボタンを具備する。
【００１３】
本発明に従う、前記装置の有利な点は、ハンドルに対する制御パネルの円周方向位置及び/又は長手方向位置の安定な設定のための構造である。
【００１４】
本発明に従う、解決方法の利点は、人間工学的に設計されたハンドルの安定な取り扱いとユーザによる前記装置の適正な操作を同時にそれが提供することである。
【００１５】
さらに、オペレータは、一般に、制御パネル上のピペット計量用とプログラム用ボタン、及び可動式制御パネル上のデータ表示を同時に観測する能力を備えるハンドル上のエゼクタ用ボタンへの容易なアクセスを介して、前記装置を都合よく制御するためにハンドルに対する制御パネルの位置を決定するのみならず任意に移動でき回転できる。
【００１６】
本発明の実施形態は、図面により提示される。
【発明を実施するための最良の形態】
【００１７】
図１の全体図に提示されるように電子ピペット計量装置は、その上部に制御パネル２を取り付けられが、その下部には取り外し可能なステムアセンブリを取り付けられるほぼ円筒型のハンドル１を具備する。この場合、用語‘取り外し可能なステム’は、単一又は多数チャネルのステム３として理解される。
【００１８】
制御パネル２は、ハンドル１の長手方向軸に対し且つ軸に垂直な面内で、ピペット計量装置のオペレータにより設定される角度だけ制御パネルが回転できるようにハンドル１に接続される。制御パネル２は、ピペット計量装置全体の操作を制御するプログラムされた電子装置を具備する。制御パネル２は、ハンドル１の長手方向軸の周囲をハンドルと共に回転するピペット計量用ボタン４と、上部において装置操作パラメータを電子装置に入力する一連のプログラム用ボタンと、装置の電子記憶装置に入力されるデータと装置により吸入され且つ採取される液量についての情報を与えるデータとから成るディスプレイ６を具備する。さらに、制御パネル２は、その下部に電池室のカバー７を有する。
【００１９】
ハンドル１には、図面に示されない、制御パネル２から制御され且つ機械的機能を実行する、多数チャネルモジュール３の駆動装置に結合され、ハンドル１に取り付けられた電気機械駆動装置がある。ハンドル１の上部には、エゼクタ用ボタンのみならず、ホールド８が、装置をラック上に吊り下げるためにあるいはピペット計量の際にハンドルの安定で都合のよい保持を手にできるために取り付けられる。
【００２０】
ハンドル１の駆動装置からクラッチによって制御される多数チャネルモジュール３は、図に示されないステム、シーリングアセンブリ、可動式プランジャ、エゼクタ１０及び交換可能な液用容器のためのステム１１を具備する。ボタン９により制御されるエゼクタ１０は、液用容器を取り出すためにステム１１上に置かれる。
【００２１】
図２，３、及び４の頂面図に提示される制御パネル２は、オペレータにより設定されるように長手方向軸に垂直な面内でハンドル１に対して位置を選択できる。図２では、制御パネルの長手方向軸は、ホールド８とエゼクタ１０のボタン９とに重複する。図３と４では、軸は前記装置の上記要素から偏移される。そのことは、ハンドル１を手に安定に保持し、また装置を都合よく制御する、即ち、ピペット計量用ボタン４、プログラム用ボタン５、又はエゼクタ用ボタン９を操作する、並びにディスプレイ６を観測するように、ハンドル１に対する制御パネル２の偏移を同時に可能にする。
【００２２】
図１から図５に提示される、電子ピペット計量装置の側面図では、制御パネル２は、ハンドル１の長手方向軸に平行に、制御パネル２がハンドル１から上方に突出できるようにハンドル１に接続される。そのような制御パネル２の伸張は、図６に提示される。
【００２３】
本発明に従って、ピペット計量装置の操作の際に、ハンドル１に対する制御パネル２の安定な位置を提供するために、ハンドル１に対する制御パネル２の安定な円周方向と長手方向の位置を決定するための構造が出願された。
【００２４】
電子ピペット計量装置の安定な位置を決定するそのような構造の事例は、本発明に従って、図７と８に提示された。制御パネル２は、ハンドル１中に置かれ、二つの直径から成る軸１２を有するが、制御パネル２の軸１２の大径と小径との間の接続部には、第一バネリング１４が第一ワッシャ１５に接続する停止面１３がある。軸１２の下部には、第二ワッシャ１７を備える第二バネリング１６があるが、制御パネル２の軸１２は、第二バネリングの支持用のリング１８と端末接続する。軸１２上の第一と第二のワッシャ１５，１７間に、加圧バネ１１，１９がある。ハンドル１は、第一と第二のバネリング１４，１６と整合する内部溝２０を有する。
【００２５】
安定な円周方向と長手方向の位置を設定する構造の駆動は、以下のようである。停止面１３とリング１８は、それらの間に一定の距離を提供するように接続される。第一と第二のバネリング１４，１６は、内部溝２０に沿って移動し、ハンドル１の内部溝２０に対する制御パネル２の軸１２の回転並びに長手方向移動を可能にしている。第一と第二のワッシャ１５，１７の間に設置されるバネ１９は、第一と第二のバネリング１４，１６に一定の圧力を及ぼす。ワッシャ１５，１７は,バネリング１４が置かれる、円錐状カラー２１と下降面２２を有する。バネリング１４，１６は、ワッシャ１５，１７を介して加圧バネ１９により作用される圧力がバネリング１４，１６の形状の座屈を起こして、それらの外径の増大を効果的に生ずるように形成される切欠き２３を具備する。溝２０と停止面１３にかかるバネリング１４，１６の圧力は、ハンドル１の一部になっている溝２０と、制御パネル２の一部になっている停止面１３との間に制動トルクを導入する。このようにして、制御パネル２の安定な円周方向位置の設定と安定な長手方向位置の設定は、ハンドル１に対して達成される。達成された制動トルクは、ハンドル１に対する制御パネル２の位置の偶発的な変化を阻止するのに十分高いが、ハンドル１に対する制御パネル２の位置の予定された変化を可能にするよう十分小さい。
【００２６】
本発明の前述の事例に基づいて、様々な変更、修正及び改良を提供することが可能であるが、そのような変更、修正及び改良は、本発明の概念と添付の特許請求項に照らして自明である。
【図面の簡単な説明】
【００２７】
【図１】図１は、本発明に従う、電子ピペット計量装置の全体図を表す。
【図２】図２は、前記装置の頂面図である。
【図３】図３は、図２と比較して、ハンドル軸に対し回転された制御パネルを備える前記装置の頂面図である。
【図４】図４は、図２と比較して、ハンドル軸に対し回転された制御パネルを備える前記装置の頂面図である。
【図５】図５は、前記装置の側面図である。
【図６】図６は、図５と比較して、ハンドルから延長され、ハンドルの長手軸に平行な制御パネルを備える前記装置の側面図である。
【図７】図７は、ハンドルに対する制御パネルの安定な円周方向と長手方向の位置を設定する構造を備える図６からの拡大部分である。
【図８】図８は、図７のＡの詳細図であり、装置の同一要素は図面で同一符号である。
【図１】
2008512224.tif 000003
【図２】
2008512224.tif 000004
【図３】
2008512224.tif 000005
【図４】
2008512224.tif 000006
【図５】
2008512224.tif 000007
【図６】
2008512224.tif 000008
【図７】
2008512224.tif 000009
【図８】
2008512224.tif 000010
【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
ハンドル（１）であって、ステムアセンブリ（３）がその下部に取り付けられるハンドルと、
制御パネル（２）、
を具備し、
前記制御パネルは、前記制御パネルが前記ハンドルの長手方向軸に対し回転できるように、前記ハンドルと接続されることを特徴とする、一定の液量を吸引し供給するための電子ピペット計量装置。
【請求項２】
ハンドル（１）であって、ステムアセンブリ（３）がその下部に取り付けられるハンドルと、
制御パネル（２）、
を具備し、
前記制御パネルは、前記制御パネルが前記ハンドルの長手方向軸に平行に移動できるように、前記ハンドルと接続されることを特徴とする、一定の液量を吸引し供給するための電子ピペット計量装置。
【請求項３】
前記制御パネル（２）は、前記ハンドル（１）の長手方向軸の周囲を前記制御パネル（２）と共に回転するピペット計量用ボタン（４）を設けられることを特徴とする、請求項１−２のいずれか一項に記載の一定の液量を吸引し供給するための電子ピペット計量装置。
【請求項４】
前記制御パネル（２）は、前記ハンドル（１）の長手方向軸の周囲を前記制御パネル（２）と共に回転するディスプレイ（６）を設けられることを特徴とする、請求項１−３のいずれか一項に記載の一定の液量を吸引し供給するための電子ピペット計量装置。
【請求項５】
前記制御パネル（２）は、前記ハンドル（１）の長手方向軸の周囲を前記制御パネル（２）と共に回転するホールド（８）を取り付けられることを特徴とする、請求項１−４のいずれか一項に記載の一定の液量を吸引し供給するための電子ピペット計量装置。
【請求項６】
ホールド（８）は、前記ハンドル（１）に取り付けられることを特徴とする、請求項１−４のいずれか一項に記載の一定の液量を吸引し供給するための電子ピペット計量装置。
【請求項７】
エゼクタ（１０）のボタン（９）は、前記ハンドル（１）に取り付けられることを特徴とする、請求項１-６のいずれか一項に記載の一定の液量を吸引し供給するための電子ピペット計量装置。
【請求項８】
前記ピペット計量装置は、前記ハンドル（１）に対する前記制御パネル（２の位置の安定な設定のための構造を具備することを特徴とする、請求項１−７のいずれか一項に記載の一定の液量を吸引し供給するための電子ピペット計量装置。
【請求項９】
前記ハンドル（１）に対する前記制御パネル（２）の位置の安定な設定のための構造は、前記ハンドル（１）に対する前記制御パネル（２）の円周方向及び/又は長手方向位置の安定な設定のための構造であることを特徴とする、請求項８に記載の一定の液量を吸引し供給するための電子ピペット計量装置。
【請求項１０】
前記ハンドル（１）に対する前記制御パネル（２）の位置の安定な設定のための構造は、ハンドル（１）の内部の溝（２０）と整合していて、前記制御パネルの（２）のステム（１２）上に置かれ且つ圧縮バネ（１９）により隔てられる、一対のバネリング（１４，１６）とプロフィル・ワッシャ（１５，１７）から成るアセンブリを構成することを特徴とする、請求項９に記載の一定の液量を吸引し供給するための電子ピペット計量装置。
【手続補正２】
【補正対象書類名】明細書
【補正対象項目名】００１１
【補正方法】変更
【補正の内容】
【００１１】
前記発明で出願された解決方法の要点は、ピストンアセンブリがその下部に取り付けられるハンドルと、制御パネルであって、ハンドルの長手方向軸に対し回転でき及び/又はハンドルの長手方向軸に平行に移動できるようにハンドルに接続される制御パネルとを具備する電子ピペット計量装置の出願である。
【手続補正３】
【補正対象書類名】明細書
【補正対象項目名】００２２
【補正方法】変更
【補正の内容】
【００２２】
図１から図５に提示される、電子ピペット計量装置の側面図では、制御パネル２は、ハンドル１の長手方向軸に平行に、制御パネル２がハンドル１を上方に移動できるようにハンドル１に接続される。そのような制御パネル２の伸張は、図６に提示される。
【手続補正４】
【補正対象書類名】明細書
【補正対象項目名】００２４
【補正方法】変更
【補正の内容】
【００２４】
電子ピペット計量装置の安定な位置を決定するそのような構造の事例は、本発明に従って、図７と８に提示された。制御パネル２は、ハンドル１中に置かれ、二つの直径から成るステム１２を有するが、制御パネル２のステム１２の大径と小径との間の接続部には、第一バネリング１４が第一ワッシャ１５に接続する停止面１３がある。ステム１２の下部には、第二ワッシャ１７を備える第二バネリング１６があるが、制御パネル２のステム１２は、第二バネリングの支持用のリング１８と端末接続する。ステム１２上の第一と第二のワッシャ１５，１７間に、加圧バネ１１，１９がある。ハンドル１は、第一と第二のバネリング１４，１６と整合する内部溝２０を有する。
【手続補正５】
【補正対象書類名】明細書
【補正対象項目名】００２５
【補正方法】変更
【補正の内容】
【００２５】
安定な円周方向と長手方向の位置を設定する構造の駆動は、以下のようである。停止面１３とリング１８は、それらの間に一定の距離を提供するように接続される。第一と第二のバネリング１４，１６は、内部溝２０に沿って移動し、ハンドル１の内部溝２０に対する制御パネル２のステム１２の回転並びに長手方向移動を可能にしている。第一と第二のワッシャ１５，１７の間に設置されるバネ１９は、第一と第二のバネリング１４，１６に一定の圧力を及ぼす。ワッシャ１５，１７は,バネリング１４が置かれる、円錐状カラー２１と下降面２２を有する。バネリング１４，１６は、ワッシャ１５，１７を介して加圧バネ１９により作用される圧力がバネリング１４，１６の形状の座屈を起こして、それらの外径の増大を効果的に生ずるように形成される切欠き２３を具備する。溝２０と停止面１３にかかるバネリング１４，１６の圧力は、ハンドル１の一部になっている溝２０と、制御パネル２の一部になっている停止面１３との間に制動トルクを導入する。このようにして、制御パネル２の安定な円周方向位置の設定と安定な長手方向位置の設定が、ハンドル１に対して達成される。達成された制動トルクは、ハンドル１に対する制御パネル２の位置の偶発的な変化を阻止するのに十分高いが、ハンドル１に対する制御パネル２の位置の予定された変化を可能にするよう十分小さい。
【国際調査報告】
2008512224.tif 000011
2008512224.tif 000012